(57)【要約】    【課題】  熱交換器を介しヒートシンクの放熱フィンに向けて吸込まれた空気を更に有効的に利用して、放熱効果を高めること。    【解決手段】  空気調和機の室外機として、本体１内を、仕切板３で圧縮機５及び電装品箱９が設けられた圧縮機室１ｃと、熱交換器４及び送風ファン６が設けられた熱交換器室１ｂとに区画し、電装品箱９内に配置されたパワーモジュールに熱交換器室１ｂに露出した放熱フィン１０ｂを有するヒートシンク１０が設けられており、熱交換器室１ｂ側に面した仕切板３の傾斜に沿って、放熱フィン１０ｂと、この放熱フィン１０ｂを覆って吸込口Ａから吸込まれた空気を導く導風部材１１を設け、この導風部材１１に有する空気導入片１１ａを、放熱フィン１０ｂから離れる方向に折り曲げられている。送風ファン６の作動により発生し、吸込口Ａから吸込まれた空気を更に有効的に利用して、放熱フィン１０ｂの放熱効果を高めることができる。  【選択図】  図４
2009192145.tif 000002
【特許請求の範囲】
【請求項１】
吸込口と吹出口とを結ぶ空気通路に送風ファンを設け、前記空気通路の近傍に電装品箱を設け、同電装品箱に前記空気通路に露出させた放熱フィンを有するヒートシンクを設けてなる空気調和機の室外機において、前記空気通路に、前記放熱フィンを覆って前記吸込口から吸込まれた空気を導く導風部材を設け、前記導風部材は空気導入片を備え、同空気導入片は前記空気の流入側が前記放熱フィンから離れる方向に折り曲げられたことを特徴とする空気調和機の室外機。
【請求項２】
本体内を仕切板により熱交換器室と圧縮機室とに区画し、前記熱交換器室の吸込口と吹出口とを結ぶ空気通路に送風ファンを設け、前記圧縮機室に電装品箱を設け、同電装品箱に前記空気通路に露出させた放熱フィンを有するヒートシンクを設けてなる空気調和機の室外機において、前記空気通路に、前記放熱フィンを覆って前記吸込口から吸込まれた空気を導く導風部材を設け、前記導風部材は空気導入片を備え、同空気導入片は前記空気の流入側が前記放熱フィンから離れる方向に折り曲げられたことを特徴とする空気調和機の室外機。
【請求項３】
前記放熱フィンの空気導入側端部は、前記空気導入片よりも前記空気の流入側へ突出していることを特徴とする請求項１または請求項２記載の空気調和機の室外機。
【発明の詳細な説明】
【技術分野】
【０００１】
本発明は、空気調和機の室外機に係わり、より詳細には、吸込口と吹出口とを結ぶ空気通路に露出させたヒートシンクの放熱フィンの放熱効果を高める構造に関する。
【背景技術】
【０００２】
従来から、マンションや一般住宅等の建物に設置される空気調和機は、例えば、屋外に室外機を、各部屋の天井付近の壁面に室内機を配置し、室外機と室内機とを冷媒配管で接続するものが普及しており、室外機内に、この室外機を制御するための制御基板やパワーモジュールなどを備えた電装品箱が配置されている。
【０００３】
このような電装品箱が配置された室外機は、電装品箱に備えたパワーモジュールのような発熱部品にヒートシンクが設けられており、ヒートシンクの放熱フィンが吸込口と吹出口とを結ぶ空気通路に露出している構造になっている。
【０００４】
しかしながら、このような構造はヒートシンクの放熱フィンの放熱効果が十分でないため、これを補うようにした構造として、ヒートシンクの放熱フィンの前面開口部を覆う導風板と、ヒートシンクの一方の側面開口部に筒状の導風器を設けた構造が知られている（例えば、特許文献１参照。）。
【０００５】
このヒートシンクの放熱フィンの放熱効果を高める構造は、図９に示すように、電力増幅用半導体素子を有する電力増幅部プリント板１０４に固定され、並行に配列された複数の放熱フィン１００ａを有する放熱器１００（ヒートシンク）と、空冷用ファン１０１からの送風空気を放熱器１００（ヒートシンク）の複数の放熱フィン１００ａが並ぶ一方の側面開口部に導く導風器１０２と、空冷用ファン１０１からの送風空気が漏れないように、複数の放熱フィン１００ａの前面開口部を、他方の側面開口部まで覆う導風板１０３とが設けられている。
【０００６】
これにより、空冷用ファン１０１の送風空気を導風器１０２により導き、導風板１０３により送風空気のほぼ全量を全放熱フィン１００ａ間に流通させ、他方の側面開口部から排出するようになっており、より多くの送風空気を放熱器１００（ヒートシンク）の放熱フィン１００ａ全体に当てて放熱効果を高めるようにしている。
【０００７】
しかしながら、特許文献１による構造は、放熱フィン１００ａの放熱効果を高めるために、導風器１０２に専用の空冷用ファン１０１を取付けて強制空冷を行なうものであり、室外機内に配置された送風ファンにより発生する風を有効的に導風し、ヒートシンクの放熱フィンに、より多くの風を当てるようにしたものではない。
【０００８】
そこで、室外機内に配置された送風ファンにより発生する風を利用し、ヒートシンクの放熱フィンの放熱効果を高めるようにした構造が知られている（例えば、特許文献２参照。）。
【０００９】
この室外機内の送風ファンにより発生する風を利用し、ヒートシンクの放熱フィンの放熱効果を高める構造は、図１０および図１１に示すように、本体１０５内は、底板１０５ｃ上に立設した仕切板１１０により熱交換器１１１と送風ファン１１３とが設けられた熱交換器室１０５ａと、圧縮機１１２が設けられた圧縮機室１０５ｂとに区画されている。圧縮機１１２の上部には電装品箱１２１が配置され、電装品箱１２１内のパワーモジュール１１８に、熱交換器室１０５ａに露出させた放熱フィン１２０ｂを有するヒートシンク１２０が取付けられている。
【００１０】
そして、電装品箱１２１の一側壁１２１ａに沿って電装品箱１２１の外側で熱交換器１１１のある側に通風路１２２が設けられ、通風路１２２は圧縮機室１０５ｂから延びて電装品箱１２１の下側に回り込み、熱交換器室１０５ａにまで達している。この通風路１２２の熱交換器室１０５ａ側の端部１２２ａには放熱フィン１２０ｂが一部入り込んでいる。
【００１１】
したがって、通風路１２２の端部１２２ａにおける壁は放熱フィン１２０ｂの方向に延び、結果として通風路１２２内に放熱フィン１２０ｂの端部が位置している。また、電装品箱１２１の側壁１２１ａの下端面は、ヒートシンク１２０のベース１２０ａの下面よりも低くならないようになっており、通風路１２２の端部１２２ａの開口が側壁１２１ａによって遮られず通風量が保たれている。
【００１２】
このような室外機において、送風ファン１１３が作動すると、熱交換器室１０５ａが負圧になっているため、圧縮機室１０５ｂから熱交換器室１０５ａに向かって通風路１２２内に空気の流れが発生し、熱交換器室１０５ａ側へ送出される（図１０および図１１の空気流Ａ。）。通風路１２２の端部１２２ａでは壁が放熱フィン１２０ｂの方向に延びていることから、端部１２２ａに達した空気流Ａは放熱フィン１２０ｂに沿って放熱フィン１２０ｂ間を流通して放熱フィン１２０ｂの放熱効果を高めるようになっている。
【００１３】
以上説明してきた特許文献２による室外機は、電装品箱１２１の外側の一側壁１２１ａに沿って圧縮機室１０５ｂから熱交換器室１０５ａに連通する通風路１２２を設け、通風路１２２の熱交換器１１１側の端部１２２ａを、熱交換器室１０５ａ側に露出させたヒートシンク１２０の放熱フィン１２０ｂの近傍に位置させたものである。
【００１４】
しかしながら、特許文献２による室外機は、熱交換器室１０５ａ内に配置された送風ファン１１３の作動により発生し、熱交換器１１１を介して吸込まれた空気を有効的に放熱フィン１２０ｂに導風するものでなく、圧縮機室１０５ｂ内の空気が通風路１２２を通って放熱フィン１２０ｂに導風するものであり、通風路１２２が送風ファン１１３から離れた位置に存在しているので、圧縮機室１０５ｂ内の空気流量は、送風ファン１１３の作動により負圧になっている熱交換器室１０５ａに吸込まれた空気流量よりも少なくなる。このため、放熱フィン１２０ｂの放熱効果が依然として不十分であり、パワーモジュール１１８の能力を十分に発揮することができない。また、電装品箱１２１が圧縮機室１０５ｂから熱交換器室１０５ａに跨って配置され、圧縮機室１０５ｂに通風路１２２が必要となり、放熱フィン１２０ｂの放熱効果を高める構造が複雑になる。
【００１５】
したがって、熱交換器１１１を介しヒートシンク１２０の放熱フィン１２０ｂに向けて吸込まれた空気を更に有効的に利用して、放熱効果を高めることができないという問題点があった。
【特許文献１】実開平１−１４７５３６号公報（第４頁−第５頁、第２図）
【特許文献２】特開２０００−１６１７１７号公報（第４頁−第５頁、第１図、第４図）
【発明の開示】
【発明が解決しようとする課題】
【００１６】
本発明は上記問題点に鑑み、熱交換器を介しヒートシンクの放熱フィンに向けて吸込まれた空気を更に有効的に利用して、放熱効果を高めることができるようにした空気調和機の室外機を提供することを目的とする。
【課題を解決するための手段】
【００１７】
本発明は上記課題を解決するため、請求項１記載の発明は、吸込口と吹出口とを結ぶ空気通路に送風ファンを設け、前記空気通路の近傍に電装品箱を設け、同電装品箱に前記空気通路に露出させた放熱フィンを有するヒートシンクを設けてなる空気調和機の室外機において、前記空気通路に、前記放熱フィンを覆って前記吸込口から吸込まれた空気を導く導風部材を設け、前記導風部材は空気導入片を備え、同空気導入片は前記空気の流入側が前記放熱フィンから離れる方向に折り曲げられたことを特徴とする構成となっている。
【００１８】
請求項２記載の発明は、本体内を仕切板により熱交換器室と圧縮機室とに区画し、前記熱交換器室の吸込口と吹出口とを結ぶ空気通路に送風ファンを設け、前記圧縮機室に電装品箱を設け、同電装品箱に前記空気通路に露出させた放熱フィンを有するヒートシンクを設けてなる空気調和機の室外機において、前記空気通路に、前記放熱フィンを覆って前記吸込口から吸込まれた空気を導く導風部材を設け、前記導風部材は空気導入片を備え、同空気導入片は前記空気の流入側が前記放熱フィンから離れる方向に折り曲げられたことを特徴とする構成となっている。
【００１９】
請求項３記載の発明は、請求項１または請求項２記載の空気調和機の室外機において、前記放熱フィンの空気導入側端部は、前記空気導入片よりも前記空気の流入側へ突出していることを特徴とする構成となっている。
【発明の効果】
【００２０】
請求項１記載の本発明によれば、吸込口と吹出口とを結ぶ空気通路に、放熱フィンを覆って吸込口から吸込まれた空気を導く導風部材を設け、この導風部材は空気導入片を備え、空気導入片は吸込口から吸込まれた空気の流入側が放熱フィンから離れる方向に折り曲げられる構成にした。これにより、室外機内に配置された送風ファンの作動により発生し、吸込口から吸込まれた空気を、導風部材の空気導入片で有効的に放熱フィンに導風することになるので、ヒートシンクの放熱フィンに導風される空気流量が多くなる。このため、ヒートシンクの放熱フィンの放熱を十分に促進し、パワーモジュールの能力を十分に発揮することができる。また、室外機の圧縮機室に設けられた通風路が不要になる。したがって、ヒートシンクの放熱フィンに、吸込口から吸込まれた空気を更に有効的に利用して、放熱効果を高めることができる。
【００２１】
また、請求項２記載の本発明によれば、請求項１記載の本発明と同様に、吸込口と吹出口とを結ぶ空気通路に、放熱フィンを覆って吸込口から吸込まれた空気を導く導風部材を設け、この導風部材は空気導入片を備え、空気導入片は吸込口から吸込まれた空気の流入側が放熱フィンから離れる方向に折り曲げられる構成にした。これにより、熱交換器室内に配置された送風ファンの作動により発生し、吸込口から吸込まれた空気を、導風部材の空気導入片で有効的に放熱フィンに導風することになるので、ヒートシンクの放熱フィンに導風される空気流量が多くなる。このため、ヒートシンクの放熱フィンの放熱を十分に促進し、パワーモジュールの能力を十分に発揮することができる。また、電装品箱が熱交換器室まで跨らずに圧縮機室内に収容され、圧縮機室に設けられた通風路も不要になる。したがって、ヒートシンクの放熱フィンに、吸込口から吸込まれた空気を更に有効的に利用して、放熱効果を高めることができる。
【００２２】
そして、請求項３記載の本発明によれば、放熱フィンの空気導入側端部は、空気導入片よりも吸込口から吸込まれた空気の流入側へ突出している構成にした。これにより、請求項１または請求項２記載の本発明と同様な効果が得られるとともに、導風部材の空気導入片よりも放熱フィンの空気流入側端部の方が、吸込口から吸込まれた空気の流入側へ突出しているので、放熱フィンの空気流入側端部の近傍および送風ファンの中心軸寄りからも、吸込口から吸込まれた空気をできるだけ多く取り入れ、複数の放熱フィンに沿って、取り入れた空気が速度を速めて流通しやすくすることができる。
【発明を実施するための最良の形態】
【００２３】
以下、本発明の実施の形態を添付図面に基づき詳細に説明する。図１は本発明による空気調和機の室外機を示す外観斜視図、図２は本発明による空気調和機の室外機の内部構造を示す斜視図、図３は図２に示す圧縮機室の前面パネルを取外した状態を示す斜視図、図４は本発明による空気調和機の室外機の内部構造を模式的に示す平面図、図５は本発明による導風部材の第１の実施の形態を示す拡大図で、（Ａ）は図４に示すヒートシンク周辺の拡大図、（Ｂ）は図４に示すＡ−Ａ’断面図である。
【００２４】
図６は本発明による導風部材の第２の実施の形態を示す拡大図で、（Ａ）は図４に示すヒートシンク周辺の拡大図、（Ｂ）は図４に示すＡ−Ａ’断面図、（Ｃ）は図４に示すＤ矢視の要部斜視図、図７は本発明による導風部材の第３の実施の形態を示す拡大図で、（Ａ）は図４に示すヒートシンク周辺の拡大図、（Ｂ）は図４に示すＡ−Ａ’断面図、（Ｃ）は図４に示すＤ矢視の要部斜視図、図８は本発明による導風部材の第４の実施の形態を示す拡大図で、（Ａ）は図４に示すヒートシンク周辺の拡大図、（Ｂ）は図４に示すＡ−Ａ’断面図である。
【００２５】
本発明による空気調和機の室外機は、図１乃至図４に示すように、本体１は、背面および左側面に吸込口Ａを、前面に吹出口Ｂを備え、この吹出口Ｂに格子状のファンガード１ｅを有する前面パネル１ｄを備えている。また、本体１は、底面に底板１ａを備え、底板１ａから下方に本体１を地面に設置するための脚部２が設けられ、底板１ａから上方に垂直に延びた仕切板３が設けられている。
【００２６】
本体１内は、仕切板３によって、背面から左側面にかけて略Ｌ字状に形成された熱交換器４が設けられた熱交換器室１ｂと、圧縮機５が設けられた圧縮機室１ｃとに区画されている。熱交換器室１ｂには、吸込口Ａと吹出口Ｂとを結ぶ空気通路が形成され、この空気通路に吸込口Ａに対向して熱交換器４が設けられ、熱交換器４の他に、吹出口Ｂに対向して送風ファン６が設けられている。また、熱交換器室１ｂには、この空気通路に、送風ファン６を駆動するファンモータ７と、ファンモータ７を支持するためのモータ支持体８とが設けられ、モータ支持体８は熱交換器４に近接して取付けられている。更に、図３及び図５に示すように、圧縮機室１ｃ内の圧縮機５の上部には電装品箱９が配置され、電装品箱９には室外機の制御を行なう制御基板９ａ、電解コンデンサ９ｂ、パワーモジュール９ｃなどが配置されている。
【００２７】
そして、図３乃至図５に示すように、電装品箱９に配置されたパワーモジュール９ｃには、ヒートシンク１０が設けられている。このヒートシンク１０を保持するためのヒートシンク取付台１０ａは、電装品箱９の側面に取付けられている。ヒートシンク１０は、ヒートシンク１０のベース１０ｆの電装品箱９側にパワーモジュール９ｃが固着され、ヒートシンク１０のベース１０ｆに一体形成され、熱交換器室１ｂ側に延びた複数の放熱フィン１０ｂが設けられている。このヒートシンク１０に設けられた複数の放熱フィン１０ｂは、仕切板３の開口部３ａから顔を出すように、熱交換器室１ｂに露出し、垂直方向に所定の間隔をもって配列されている。したがって、仕切板３の開口部３ａから熱交換器室１ｂに露出した放熱フィン１０ｂは、吸込口Ａと吹出口Ｂとを結ぶ空気通路に設けられた熱交換器４と送風ファン６との間に位置している。そして、この放熱フィン１０ｂの方向は水平方向、すなわち、吸込口Ａから熱交換器４を介して吸込まれ、送風ファン６から吹出口Ｂを介して吹出される空気の流れに沿った方向に延びている。
【００２８】
また、パワーモジュール９ｃは室外機の運転時に内部電流によって発熱するが、発熱した熱はヒートシンク１０の放熱フィン１０ｂに伝わり放熱される。このパワーモジュール９ｃは耐熱性に劣るため、送付ファン６の作動により発生し、吸込口Ａから熱交換器４を介して吸込まれた空気（図５に示す空気流Ｃ。）でヒートシンク１０の放熱フィン１０ｂの放熱を促進させ、パワーモジュール９ｃを冷却している。
【００２９】
更に、図４及び図５に示すように、仕切板３は、本体１の背面側の熱交換器４の右端部近傍から傾斜して前方に延び、途中から送風ファン６の周縁部近傍に向けて前方に直線的に延びており、ヒートシンク１０の放熱フィン１０ｂは、熱交換器室１ｂ側に面する仕切板３の傾斜に沿って配置されている。そして、本体１の背面側の熱交換器４と送風ファン６との間の空気通路には、このヒートシンク１０の放熱フィン１０ｂを覆って吸込口Ａから背面側の熱交換器４を介して吸込まれた空気を導く導風部材１１が設けられている。この導風部材１１は、図示を省略した締結部材によりヒートシンク取付台１０ａに、放熱フィン１０ｂと同様に、熱交換器室１ｂ側に面する仕切板３の傾斜に沿って固定されている。
【００３０】
そして、導風部材１１には、本体１の背面側の熱交換器４に対向するように、放熱フィン１０ｂから離れる方向に折り曲げられた空気導入片１１ａが形成されている。この導風部材１１に形成された空気導入片１１ａは、本体１の背面側の熱交換器４に近い位置で、吸込口Ａから吸込まれた空気の流入側が放熱フィン１０ｂから離れる方向であって、送風ファン６の中心軸寄りの方向に広がるように折り曲げられている。また、導風部材１１に形成された空気導入片１１ａは、送風ファン６の回転空間の邪魔にならないように折り曲げられている。この空気導入片１１ａによれば、放熱フィン１０ｂの近傍から空気導入片１１ａによって広がった周辺に至るまでの範囲、すなわち、空気導入範囲として横方向に広がりのある範囲を形成できることになる。したがって、放熱フィン１０ｂの近傍および送風ファン６の中心軸寄りからも、背面側の熱交換器４を介して吸込まれた空気を、できるだけ多く放熱フィン１０ｂに向けて取り入れるようにしている。
【００３１】
また、ヒートシンク１０の放熱フィン１０ｂは、本体１の背面側の熱交換器４に対向する空気流入側端部１０ｃを備え、この空気流入側端部１０ｃは、本体１の背面側の熱交換器４の右端部よりも送風ファン６の中心軸寄りに配置されている。更に、導風部材１１に形成された空気導入片１１ａは、本体１の背面側の熱交換器４に対向する先端部１１ｂを有し、この先端部１１ｂは、ヒートシンク１０の放熱フィン１０ｂに備えた空気流入側端部１０ｃよりも送風ファン６側、すなわち、本体１の背面側の熱交換器４から離れたところに位置するようにしている。言い換えれば、放熱フィン１０ｂの空気導入側端部１０ｃは、空気導入片１１ａよりも吸込口Ａから吸込まれた空気の流入側へ突出していることになる。また、導風部材１１は、導風部材１１の空気導入片１１ａに連なり、放熱フィン１０ｂを覆う断面コ字状の本体部分を有している。そして、導風部材１１は、熱交換器室１ｂ側に延びた放熱フィン１０ｂの先端部１０ｅを、放熱フィン１０ｂに備えた空気流入側端部１０ｃと、送風ファン６に対向する放熱フィン１０ｂに備えた空気流出側端部１０ｄとの間で、部分的に覆うようにしている。図５においては、導風部材１１の空気導入片１１ａを除く断面コ字状の本体部分により、放熱フィン１０ｂの先端部１０ｅを、空気導入側端部１０ｃに近い部分を部分的に覆っている。これにより、導風部材１１の材料を節約することができる。
【００３２】
なお、導風部材１１の材料を節約することができるという側面のほか、ヒートシンク１０に複数個の発熱部品を設け、複数個の発熱部品のうちの１個の発熱部品の温度上昇を抑制する場合がある。この場合、１個の発熱部品が取付けられるヒートシンク１０のベース１０ｆの一部分に対向する放熱フィン１０ｂの先端部１０ｅの一部分を、導風部材１１により覆うようにすると、その放熱フィン１０ｂの先端部１０ｅの一部分のみ、集中的に放熱効果を高めることができる。これにより、１個の発熱部品の温度上昇を抑制することができる。
【００３３】
以上のような構成による室外機の運転時に、送風ファン６が作動すると、熱交換器室１ｂが負圧となっているので、吸込口Ａから本体１の背面側の熱交換器４を介して吸込まれた空気が導風部材１１に形成された空気導入片１１ａにより導風され、図５に示すように、放熱フィン１０ｂの空気流入側端部１０ｃから放熱フィン１０ｂの方向に沿って、吸込まれた空気の一部の空気流Ｃが全放熱フィン１０ｂ間を流通して、放熱フィン１０ｂの放熱を十分に促進する。そして、この全放熱フィン１０ｂ間を流通した空気流Ｃは、送風ファン６に対向する放熱フィン１０ｂに備えた空気流出側端部１０ｄから排出され、送風ファン６を介して図１に示す前面パネル１ｄに備えたファンガード１ｅの開口から室外機の外部に吹出される。このとき、放熱フィン１０ｂの空気流入側端部１０ｃよりも導風部材１１の空気導入片１１ａに有する先端部１１ｂの方が、本体１の背面側の熱交換器４から離れたところに位置しているので、放熱フィン１０ｂの空気流入側端部１０ｃの近傍および送風ファン６の中心軸寄りからも、背面側の熱交換器４を介して吸込まれた空気流Ｃをできるだけ多く取り入れ、複数の放熱フィン１０ｂに沿って、取り入れた空気流Ｃが速度を速めて流通しやすくなっている。
【００３４】
以上説明してきた実施の形態による本発明の空気調和機の室外機によれば、本体１内を仕切板３により熱交換器室１ｂと圧縮機室１ｃとに区画し、熱交換器室１ｂの吸込口Ａと吹出口Ｂとを結ぶ空気通路に送風ファン６を設け、圧縮機室１ｃに電装品箱９を設け、電装品箱９に空気通路に露出させた放熱フィン１０ｂを有するヒートシンク１０を設けてなるものにおいて、空気通路に、放熱フィン１０ｂを覆って吸込口Ａから吸込まれた空気を導く導風部材１１を設け、導風部材１１は空気導入片１１ａを備え、この空気導入片１１ａは吸込口Ａから吸込まれた空気の流入側が放熱フィン１０ｂから離れる方向に折り曲げられることにした。
【００３５】
これにより、熱交換器室１ｂ内に配置された送風ファン６の作動により発生し、吸込口Ａから吸込まれた空気を、導風部材１１の空気導入片１１ａで有効的に放熱フィン１０ｂに導風することになるので、背景技術の欄で説明してきた特許文献２による構造と比べて、ヒートシンク１０の放熱フィン１０ｂに導風される空気流量を多くすることができる。このため、ヒートシンク１０の放熱フィン１０ｂの放熱を十分に促進し、パワーモジュール９ｃの能力を十分に発揮することができる。また、電装品箱９が熱交換器室１ｂまで跨らずに圧縮機室１ｃ内に収容されており、圧縮機室１ｃに設けられた通風路１２２を不要にすることができる。更に、背景技術の欄で説明してきた特許文献１による構造と比べて、ヒートシンク１０の放熱フィン１０ｂの放熱を促進するために、専用の空冷用ファン１０１を使用しないので、省エネ性を向上することができる。
【００３６】
したがって、本発明の空気調和機の室外機において、ヒートシンク１０の放熱フィン１０ｂに、吸込口Ａから吸込まれた空気を更に有効的に利用して、放熱効果を高めることができる。そして、ヒートシンク１０の放熱フィン１０ｂに導風される空気流量が多くなることにより、導風部材１１がヒートシンク取付台１０ａに固定されていない場合と比べて、ヒートシンク１０の温度を低くすることができるので、ヒートシンク１０を小さくすることができる。また、ヒートシンク１０のベース１０ｆに固着されるパワーモジュール９ｃは、最近、室外機の性能を高めるために、発熱量がより多い高性能なパワーモジュール、その他の発熱部品を使用する方向になってきており、このような場合にも同様な効果を得ることができる。
【００３７】
更に、以上説明してきた実施の形態による本発明の空気調和機の室外機によれば、放熱フィン１０ｂの空気導入側端部１０ｃは、空気導入片１１ａよりも吸込口Ａから吸込まれた空気の流入側へ突出していることにした。これにより、放熱フィン１０ｂの空気流入側端部１０ｃの近傍および送風ファン６の中心軸寄りからも、吸込口Ａから吸込まれた空気をできるだけ多く取り入れ、複数の放熱フィンに沿って、取り入れた空気が速度を速めて流通しやすくすることができる。
【００３８】
なお、以上説明してきた実施の形態においては、導風部材１１に備えた空気導入片１１ａは、本体１の背面側の熱交換器４、すなわち、吸込口Ａに対向するように、放熱フィン１０ｂから離れる方向に折り曲げられるようにしたが、本発明はこれに限らず、導風部材１１の空気導入片１１ａは、吸込口Ａに対向せず、吸込口Ａから離れたところの空気通路に配置され、この空気導入片１１ａは、吸込口Ａから吸込まれた空気の流入側が、放熱フィン１０ｂから離れる方向に折り曲げられていてもよい。また、導風部材１１は、ヒートシンク取付台１０ａに図示を省略した締結部材により固定するようにしたが、本発明はこれに限らず、仕切板３、電装品箱９またはヒートシンク１０に締結部材により固定するようにしてもよい。そして、導風部材１１は、仕切板３や電装品箱９にスポット溶接などにより固定するようにしてもよく、ヒートシンク取付台１０ａに一体成形するようにしてもよい。
【００３９】
また、導風部材１１は、熱交換器室１ｂ側に延びた放熱フィン１０ｂの先端部１０ｅを部分的に覆うようにしたが、本発明はこれに限らず、送風ファン６に対向する放熱フィン１０ｂに備えた空気流出側端部１０ｄに至るまで全面的に覆うようにしてもよい。そして、ヒートシンク１０のベース１０ｆにパワーモジュール９ｃが固着されているが、本発明はこれに限らず、ヒートシンク１０のベース１０ｆにパワーモジュール９ｃのように発熱する発熱部品が固着されているものでもよく、複数個の発熱部品が固着されているものでもよい。更に、本体１内に１個の送風ファン６を設けたものであるが、本体１内の上下に２個の送風ファン６を設けた大型の室外機であってもよい。
【００４０】
次に、図６乃至図８を用いて、導風部材１１のその他の実施の形態を説明する。なお、これまで説明してきた共通する構成については説明を省略する。図６に示す導風部材１２は、放熱フィン１０ｂの先端部１０ｅから離れる方向に折り曲げられた空気導入片１２ａが形成されている。空気導入片１２ａの先端部１２ｂは、放熱フィン１０ｂに備えた空気導入側端部１０ｃよりも、本体１の背面側の熱交換器４から離れたところに位置するようにしている。空気導入片１２ａを除く断面コ字状の本体部分においては、放熱フィン１０ｂの最上部を覆う本体部分を、空気導入側端部１０ｃに至るまで延伸して、放熱フィン１０ｂの最上部を部分的に覆い、空気導入側端部１０ｃから離れる方向に折り曲げられた空気導入片１２ｃが形成されている。空気導入片１２ｃの先端部１２ｄは、空気導入側端部１０ｃよりも、本体１の背面側の熱交換器４に近いところに位置するようにしている。同様に、放熱フィン１０ｂの最下部を覆う本体部分を、空気導入側端部１０ｃに至るまで延伸して、放熱フィン１０ｂの最下部を部分的に覆い、空気導入側端部１０ｃから離れる方向に折り曲げられた空気導入片１２ｅが形成されている。空気導入片１２ｅの先端部１２ｆは、空気導入側端部１０ｃよりも、本体１の背面側の熱交換器４に近いところに位置するようにしている。
【００４１】
このような導風部材１２によれば、放熱フィン１０ｂの空気導入側端部１０ｃの近傍から空気導入片１２ａ、空気導入片１２ｃおよび空気導入片１２ｅによって広がった周辺に至るまでの範囲、すなわち、空気導入範囲として横方向および縦方向に広がりのある範囲を形成できることになる。したがって、放熱フィン１０ｂの空気導入側端部１０ｃの近傍、送風ファン６の中心軸寄り、更に、背面側の熱交換器４の上方寄りおよび下方寄りからも、背面側の熱交換器４を介して吸込まれた空気を、より多く放熱フィン１０ｂに向けて取り入れるようにしている。
【００４２】
また、図７に示す導風部材１３は、放熱フィン１０ｂの先端部１０ｅから離れる方向に折り曲げられた空気導入片１３ａが形成されている。空気導入片１３ａの先端部１３ｂは、放熱フィン１０ｂに備えた空気導入側端部１０ｃよりも、本体１の背面側の熱交換器４に近いところに位置するようにしている。したがって、空気導入片１３ａを除く断面コ字状の本体部分においては、放熱フィン１０ｂの空気導入側端部１０ｃが覆われ見えなくなる。そして、放熱フィン１０ｂの最上部を部分的に覆う本体部分より空気導入側端部１０ｃから離れる方向に折り曲げられた空気導入片１３ｃが形成されている。空気導入片１３ｃの先端部１３ｄは、空気導入側端部１０ｃよりも、本体１の背面側の熱交換器４に近いところに位置するようにしている。同様に、放熱フィン１０ｂの最下部を部分的に覆う本体部分より空気導入側端部１０ｃから離れる方向に折り曲げられた空気導入片１３ｅが形成されている。空気導入片１３ｅの先端部１３ｆは、空気導入側端部１０ｃよりも、本体１の背面側の熱交換器４に近いところに位置するようにしている。
【００４３】
このような導風部材１３によれば、図６に示す導風部材１２と同様に、放熱フィン１０ｂの空気導入側端部１０ｃの近傍から空気導入片１３ａ、空気導入片１３ｃおよび空気導入片１３ｅによって広がった周辺に至るまでの範囲、すなわち、空気導入範囲として横方向および縦方向に広がりのある範囲を形成できることになる。したがって、放熱フィン１０ｂの空気導入側端部１０ｃの近傍、送風ファン６の中心軸寄り、更に、背面側の熱交換器４の上方寄りおよび下方寄りからも、背面側の熱交換器４を介して吸込まれた空気を、より多く放熱フィン１０ｂに向けて取り入れるようにしている。なお、図７に示す導風部材１３は、図６に示す導風部材１２と比べて、空気導入片１３ａの先端部１３ｂが、空気導入側端部１０ｃよりも、本体１の背面側の熱交換器４に近いところに位置するようにしているので、背面側の熱交換器４を介して吸込まれた空気が、空気導入側端部１０ｃの近傍に位置する放熱フィン１０ｂの先端部１０ｅに導入される空気は少なくなる。
【００４４】
そして、図８に示す導風部材１４は、図７に示す導風部材１３の空気導入片１３ａ、空気導入片１３ｃおよび空気導入片１３ｅのそれぞれが一体成形されるように、放熱フィン１０ｂを部分的に覆う本体部分より空気導入側端部１０ｃから離れる方向に折り曲げられた空気導入片１４ａ、空気導入片１４ｃおよび空気導入片１４ｅが絞り加工により形成されている。空気導入片１４ａの先端部１４ｂ、空気導入片１４ｃの先端部１４ｄおよび空気導入片１４ｅの先端部１４ｆはそれぞれ、空気導入側端部１０ｃよりも、本体１の背面側の熱交換器４に近いところに位置するようにしている。このような導風部材１４によれば、図７に示す導風部材１３と同様な作用および効果を得ることができる。
【００４５】
更に、以上説明してきた実施の形態においては、本体１の背面および左側面に備えた吸込口Ａから吸込まれた空気を、本体１の前面に備えた吹出口Ｂから吹出すタイプの室外機として説明してきたが、本発明はこれに限らず、本体の上部に備えた吹出口から吹出す上吹出タイプの室外機に適用することができる。例えば、本体内を仕切板により上下に区画し、上部を熱交換器室、下部を圧縮機室とし、熱交換器室に、その左右両側部に吸込口を備え、上部に吹出口を備え、吸込口に対向して熱交換器が配置され、吹出口に対向して送風ファンが配置され、圧縮機室に圧縮機と電装品箱とを設けてなる上吹出タイプの室外機に適用することができる。この上吹出タイプの室外機において、圧縮機室に設けた電装品箱に、仕切板の開口部から吸込口と吹出口とを結ぶ空気通路に露出させた放熱フィンを有するヒートシンクを設け、この空気通路に、ヒートシンクの放熱フィンを覆って吸込口から吸込まれた空気を導く導風部材を設けて、この導風部材の空気導入片を放熱フィンから離れる方向に折り曲げるようにしても、上述の実施の形態と同様な効果を得ることができる。
【００４６】
また、別の例として、本体の前面板を除く側面部に吸込口を備え、上部に吹出口を備え、吸込口に対向して熱交換器が配置され、吹出口に対向して送風ファンが配置され、底板上に圧縮機が設けられ、前面板に近接するように対向して電装品箱が設けられてなる上吹出タイプの室外機にも適用することができる。この上吹出タイプの室外機において、電装品箱に、吸込口と吹出口とを結ぶ空気通路に露出させた放熱フィンを有するヒートシンクを設け、この空気通路に、ヒートシンクの放熱フィンを覆って吸込口から吸込まれた空気を導く導風部材を設け、導風部材は空気導入片を備え、この空気導入片は吸込口から吸込まれた空気の流入側が放熱フィンから離れる方向に折り曲げるようにしても、上述の実施の形態と同様な効果を得ることができる。したがって、少なくとも本発明の空気調和機の室外機は、吸込口と吹出口とを結ぶ空気通路に送風ファンを設け、この空気通路の近傍に電装品箱を設け、電装品箱に空気通路に露出させた放熱フィンを有するヒートシンクを設けてなるものにおいて、空気通路に、放熱フィンを覆って吸込口から吸込まれた空気を導く導風部材を設け、導風部材は空気導入片を備え、この空気導入片は吸込口から吸込まれた空気の流入側が放熱フィンから離れる方向に折り曲げられるようにすればよい。
【図面の簡単な説明】
【００４７】
【図１】本発明による空気調和機の室外機を示す外観斜視図である。
【図２】本発明による空気調和機の室外機の内部構造を示す斜視図である。
【図３】図２に示す圧縮機室の前面パネルを取外した状態を示す斜視図である。
【図４】本発明による空気調和機の室外機の内部構造を模式的に示す平面図である。
【図５】本発明による導風部材の第１の実施の形態を示す拡大図で、（Ａ）は図４に示すヒートシンク周辺の拡大図、（Ｂ）は図４に示すＡ−Ａ’断面図である。
【図６】本発明による導風部材の第２の実施の形態を示す拡大図で、（Ａ）は図４に示すヒートシンク周辺の拡大図、（Ｂ）は図４に示すＡ−Ａ’断面図、（Ｃ）は図４に示すＤ矢視の要部斜視図である。
【図７】本発明による導風部材の第３の実施の形態を示す拡大図で、（Ａ）は図４に示すヒートシンク周辺の拡大図、（Ｂ）は図４に示すＡ−Ａ’断面図、（Ｃ）は図４に示すＤ矢視の要部斜視図である。
【図８】本発明による導風部材の第４の実施の形態を示す拡大図で、（Ａ）は図４に示すヒートシンク周辺の拡大図、（Ｂ）は図４に示すＡ−Ａ’断面図である。
【図９】従来によるヒートシンクの放熱フィンの放熱効果を高める構造を示す斜視図である。
【図１０】従来による空気調和機の室外機の内部構造を模式的に示す斜視図である。
【図１１】図１０に示す電装品箱を模式的に示す部分断面図である。
【符号の説明】
【００４８】
１  本体
１ａ  底板
１ｂ  熱交換器室
１ｃ  圧縮機室
１ｄ  前面パネル
１ｅ  ファンガード
２  脚部
３  仕切板
３ａ  開口部
４  熱交換器
５  圧縮機
６  送風ファン
７  ファンモータ
８  モータ支持体
９  電装品箱
９ａ  制御基板
９ｂ  電解コンデンサ
９ｃ  パワーモジュール（発熱部品）
１０  ヒートシンク
１０ａ  ヒートシンク取付台
１０ｂ  放熱フィン
１０ｃ  空気流入側端部
１０ｄ  空気流出側端部
１０ｅ  先端部
１０ｆ  ベース
１１  導風部材
１１ａ  空気導入片
１１ｂ  先端部
１２  導風部材
１２ａ  空気導入片
１２ｂ  先端部
１２ｃ  空気導入片
１２ｄ  先端部
１２ｅ  空気導入片
１２ｆ  先端部
１３  導風部材
１３ａ  空気導入片
１３ｂ  先端部
１３ｃ  空気導入片
１３ｄ  先端部
１３ｅ  空気導入片
１３ｆ  先端部
１４  導風部材
１４ａ  空気導入片
１４ｂ  先端部
１４ｃ  空気導入片
１４ｄ  先端部
１４ｅ  空気導入片
１４ｆ  先端部
Ａ  吸込口
Ｂ  吹出口
Ｃ  空気流
【図１】
2009192145.tif 000003
【図２】
2009192145.tif 000004
【図３】
2009192145.tif 000005
【図４】
2009192145.tif 000006
【図５】
2009192145.tif 000007
【図６】
2009192145.tif 000008
【図７】
2009192145.tif 000009
【図８】
2009192145.tif 000010
【図９】
2009192145.tif 000011
【図１０】
2009192145.tif 000012
【図１１】
2009192145.tif 000013